(57)【特許請求の範囲】
【請求項１】
先端に筆記部を有したペン先と、常温での粘度が２から１００ｍＰａ・ｓの比較的低粘度のインクを直液状態で保蔵するインクタンクと、該インクタンクから筆記部までインクを誘導する誘導部と、内圧を調節する毛細管現象を利用した調節体であるコレクターと、を備えたコレクター式筆記具に於いて、
該コレクターと該インクタンクとの間でインクと空気の流通が可能であって、毛細管力によりインクを保持可能な空気置換部と、
該コレクターの外側面から該コレクターの内孔に向かって貫通孔を設け、
該貫通孔の毛細管力は、空気置換部の毛細管力よりも小さく、かつ、誘導部の毛細管力よりも小さく、
当該貫通孔の内孔側開口周辺の、コレクター内壁と誘導部との間には、空気置換部の毛細管力よりも小さく、かつ、貫通孔の毛細管力よりも大きい毛細管力を有する空隙を構成することを特徴とするコレクター式筆記具。
【請求項２】
先端に筆記部を有したペン先と、常温での粘度が２から１００ｍＰａ・ｓの比較的低粘度のインクを直液状態で保蔵するインクタンクと、該インクタンクから筆記部までインクを誘導する誘導部と、内圧を調節する毛細管現象を利用した調節体であるコレクターと、を備えたコレクター式筆記具に於いて、
該コレクターと該インクタンクとの間でインクと空気の流通が可能であって、毛細管力によりインクを保持可能な空気置換部と、
該コレクターの外側面から該コレクターの内孔に向かって貫通孔を設け、
該貫通孔の毛細管力は、空気置換部の毛細管力よりも小さく、かつ、誘導部の毛細管力よりも小さく、
当該貫通孔の表面は、コレクターの他の部分とは異なる表面粗さ、異なる表面処理、異なる材質の内のいずれかとする事で、コレクターの他の部分よりもインクの濡れ性が良くないことを特徴とするコレクター式筆記具。
【請求項３】
当該貫通孔の毛細管力は、該コレクターの外側面側が内孔側よりも小さい事を特徴とする請求の範囲第１項又は第２項に記載のコレクター式筆記具。
【請求項４】
当該コレクターは、余剰インクを保留可能な保留溝を形成する複数の羽状部を有し、
当該貫通孔は、最もペン先側の保留溝よりもインクタンク側の保留溝に設ける事を特徴とする請求の範囲第１項、第２項又は第３項に記載のコレクター式筆記具。
【発明の詳細な説明】
【技術分野】
【０００１】
本発明は、先端に筆記部となるペン先を有する、ボールペンやサインペンや万年筆などの筆記具において、インクを直接保蔵するインクタンクと、内部の内圧を調整する毛細管現象を利用した調節体であるコレクターを備えた直液タイプコレクター式筆記具の改良に関する。特に低温時のインク凍結や航空機での使用時のペン先からのインク漏れ出しの不具合、さらにはインクが自然に流れ出してしまう不具合の改良に関する。
【背景技術】
【０００２】
従来よりペン先とインクタンクとの間に、インクタンク内の圧力を調整して直液状態のインクを保持しつつペン先からのインク漏れや空気孔からの吹き出しを防止する目的でコレクターを備えた筆記具が知られている。コレクター筆記具はインクの流量が中綿式筆記具の初期と同等以上で多く、筆圧をかけないでも終筆までインク流出量が漸減することなく濃い描線で筆記可能、インク量を多く搭載可能、直液状態のインク残量が視認可能等の特長を有している。
【０００３】
温度変化や気圧変化や標高差など減圧と高圧が繰り返されると、吹き出し現象が生じる問題点に注意して設計しなければならない欠点がコレクター筆記具には存在している。コレクター筆記具は、従来は気温が２０゜Ｃ前後の室温から外気で考えられる最大温度５０゜Ｃ程度の昇温をクリアすれば、ほとんど問題ない性能となっていた。しかしながら、航空機での使用のような急な加減圧や、北欧やカナダなどの極寒地で−２０゜Ｃ以下の冬季保管環境下でインクの凍結によって生じる体積膨張、などの原因でペン先からインクが漏れだしてしまう直流現象の問題が指摘される様になった。
【０００４】
従来は、インクに凍結しにくい溶剤を増量したり、ペン先に先端ゴムシールなどの特別な部材を使用してこの凍結直流の問題対策としていたが、インクで解決した場合は安全性、描線の乾燥性、インクの安定性などの悪影響が発生してしまう事が多く、ゴムシールによる解決の場合は、部品コストの増加及び組み立てコストが増加するばかりではなく、ゴムシールにより常に先端部がインクでわずかに汚れる問題も発生する。
【０００５】
この直流の問題を解決する目的で本出願人による特開平１１−３３４２７６号公報などの発明を従来より提案しており、これらは０゜Ｃ以下の温度でのインクの凍結や急激な温度上昇による、体積膨張により押し出されるインクをコレクター内部からコレクターの外側に逃がすことで、ペン先からの直流の問題を解決する発明である。
【０００６】
コレクター筆記具は、インクタンク内のインクを空気置換部に接触させてインクで濡らし、外気とは空気置換部以外の部分は遮断する事、及び十分な毛細管力を有する空気置換部のみからインクあるいは空気を置換する構成とした事で、空気置換部の強い毛細管力によるメニスカスの作用で、インクタンク側内圧が実質的に減圧されるので下向きにしてもペン先の先端からインクが流れ出ないメカニズムを利用した筆記具である。
【０００７】
すでに先願で述べられている様に、凍結による体積膨張でペン先からインクの成分が漏れ出た状態になり、その後解凍された時点ではペン先からインクが戻ることはなく、インクが漏れた状態になってしまう欠点が知られているが、コレクターに貫通孔を設けることでこの凍結時の問題は解決可能であることを発見したものである。
【先行技術文献】
【０００８】
【特許文献１】
特開平１１−３３４２７６号公報
【発明の概要】
【発明が解決しようとする課題】
【０００９】
しかしながら、先願では単純な貫通孔を有しており、以下のような問題が発生した。つまり、高温多湿下で使用したり、ペン立ての中で下向きに長期間放置されるなどの状況で、経時的に貫通孔部分からコレクターにインクがしみ出してしまい外観が汚れる問題や、ひどい場合には、貫通孔から下のコレクターの保留溝のみがインクでいっぱいになってしまい空気孔からインクが噴き出してしまう問題が発生した。インク誘導部であるペン芯などの内部の誘導芯からインクが貫通孔を経由して自然に浸み出してしまう拡張濡れ現象の問題である。
【００１０】
さらに、航空機での使用などの急激な気圧変化のある状態で使用すると、インクタンク側の圧力が気液交換部と貫通孔の部分から同時にインクが直接噴流となって吹き出してしまい、コレクターの余剰インク保留能力を有効に使用しないまま、インクが外部へ流れ出てしまう問題も発生する場合がある知見が得られた。
【００１１】
本発明は、主に普及型のコレクター式筆記具の改良を目的としており、温度変化や気圧変化等によるインクタンク内圧の加減圧の影響によるインク洩れ出しの防止性能や、店頭で長期保存された場合などの吹き出しや直流を防止する性能や、凍結によるインク漏れだしの問題など、筆記具における事故防止性能を確実に向上させたいという要望を満足させて、消費者の服を汚す等の重大欠点を防止するという課題を従来のコレクター筆記具の有する優秀な筆記性を阻害する事無く、かつコストをかけることなく上記の問題を解決させる事を目的としている。
【課題を解決するための手段】
【００１２】
上記課題を解決する為に、本発明のコレクター筆記具は、ペン先にインクタンクから筆記部の先端まで流路を確保するインク誘導芯（中芯やコレクター芯又はコレクター自身にスリットを設けたものなど）の毛細管力を利用したインク誘導部を有し、有底コップ状のインクタンクとペン先の間には毛細管力を利用して、余剰のインクを保留する事で内圧をコントロールするコレクターを設けたボールペン、インク誘導芯そのものがペン先となるサインペン、マーカー類、万年筆、小管式筆記具などである。
【００１３】
コレクターには、一般的に外気への通気部と、コレクターの空気溝と、インクタンクとの間でインクと空気の流通が可能であって、毛細管力によりインクを保持可能な気液交換部とが設けられており、コレクターの気液交換部をインクで濡らすことで気液交換部以外ではインクタンク内への空気の流入がないような構成となっている。一般的なコレクターは、細く長いインク溝と、径方向の羽のスキマである保留溝を複数適宜の設定幅で配置して、保留溝にインクを出入りさせることでペン体内部の内圧調整する機能を有している。その他の形態のコレクターとしては繊維束である中綿やスポンジなどに濡れ性処理を行ったものでも良い。
【００１４】
本発明の有効な手段としてはまず第１に、コレクターの外側面からコレクターの内孔に向かって貫通孔を設け、該貫通孔の毛細管力は、空気置換部の毛細管力よりも小さく、かつ、中芯等の誘導部の毛細管力よりも小さいことを特徴とする。つまり、コレクターの内孔側から外側面に向かってはインクを引き出すことがないようにしたものである。
【００１５】
尚、貫通孔の毛細管力を空気置換部の毛細管力よりも小さくしたのは、貫通孔の毛細管力の方が大きいとインクタンク内が急激に加圧や、減圧された場合に、インクが空気置換部の方を移動しやすくなり、貫通孔を有効に利用できず、インクの吹き出し、漏れ出し等の問題等が発生しやすくなるためである。貫通孔の毛細管力を誘導部の毛細管力よりも小さくする方法としては、貫通孔の大きさを大きくする方法、貫通孔の角度に鋭角部を設けない、貫通孔の内壁部分に溝や突起を設けない等の方法が考えられる。
【００１６】
以下さらに第１の手段を補助する有効な手段を列記する。第２の有効な手段としては、上記第１の手段に加えて貫通孔の毛細管力は、コレクターの外側面側が内孔側よりも小さい事を特徴とする。具体的には、コレクターの内部側（内孔側）から外部側（外側面側）に向かって穴径が大きくなるようにテーパー状の孔としたものや、内部側の角Ｒよりも外部側の角Ｒを大きくしたものである。
【００１７】
第３の有効な手段としては、コレクターは余剰インクを保留可能な保留溝を形成する複数の羽状部を有し、貫通孔は最もペン先側の保留溝よりもインクタンク側（望ましくは、最もペン先側よりも２つ以上インクタンク側の保留溝）に設ける事を特徴とする。
【００１８】
第４の有効な手段としては、当該貫通孔の内孔側開口周辺の、コレクター内壁と誘導部との間には、空気置換部の毛細管力よりも小さく、かつ、貫通孔の毛細管力よりも大きい毛細管力を有する空隙を構成する事を特徴とする。コレクターの内部には、誘導部を内蔵する内孔に小径部を、該小径部よりもペン先側前方のコレクター内孔に大径部をそれぞれ備えた場合には、気液交換部＞小径部の空隙＞大径部の空隙＞貫通孔という毛細管力の強さの関係を形成することができる。
【００１９】
第５の有効な手段としては、当該貫通孔の表面は、コレクターの他の部分と異なる表面粗さ、異なる表面処理、異なる材質の内のいずれかとする事で、コレクターの他の部分よりもインクの濡れ性が良くない表面状態とした事である。この場合も上述同様のインクが漏れだしてしまうことを防止する事が可能な手段となっている。
【００２０】
インクを直接保蔵している透明または半透明合成樹脂製インクタンクはインクが漏れない状態でコレクターを圧入固定している。インクに関しては、常温での粘度が２から１００ｍＰａ・ｓの比較的低粘度の水又は溶剤をベースとして４０％以上含み、主溶剤に溶解する染料インクや、耐水性や耐光性に優位な着色剤としてはカーボンブラックなどの顔料や染着樹脂粉等の疑似有機顔料、アルミなどの金属粉、酸化チタンやマイカやガラス片等の無機質を分散させた顔料インクが存在しているが、従来のコレクター式筆記具同様のインクが使用可能であり、本発明では特に限定される物ではなく、主溶剤をアルコールやキシレンなどの有機溶剤としたインクでもコレクター式筆記具としての機能を満足すれば本発明を応用することができる。
【図面の簡単な説明】
【００２１】
【図１】本発明の第１実施例である筆記具本体を示す縦断面図である。
【図２】本発明の第１実施例である筆記具先端部詳細図である。
【図３】本発明の実施例であるコレクターの外観図である。
【図４】本発明の実施例であるコレクターの外観斜視図である。
【図５】第３図の矢視Ｕ１−Ｕ１断面で示す、本発明の実施例であるコレクターの貫通孔部の横断面図である。
【図６】第３図の矢視Ｕ２−Ｕ２断面で示す、本発明の実施例であるコレクターの気液交換部の横断面図である。
【図７】本発明の第２実施例であるコレクターの貫通孔部縦断面図である。
【発明を実施するための形態】
【００２２】
以下に本発明の実施の形態を図面に基づき詳説する。図は本発明の実施形態の一例を示したものであり、第１図は筆記具本体の全体を示す縦断面図、第２図は先端側の拡大縦断面図、第３図は部品であるコレクターの外観図、第４図はコレクターの外観斜視図、第５図は第３図の矢視Ｕ１−Ｕ１で示すコレクターの貫通孔部分の横断面図、第６図は第３図の矢視Ｕ２−Ｕ２で示すコレクターの気液交換部の横断面図、第７図は第２実施例の貫通孔部分の拡大部分図である。
【００２３】
一般的なコレクター式筆記具に使用されるインク８は、水やアルコール系溶剤等を４０％以上含んで主溶剤としたものに染料や顔料などの着色剤を１から３０％、プロピレングリコールやグリセリンや高級アルコールなどの不揮発性溶剤を３から４０％、及びその他の潤滑剤や防腐剤や分散剤などの添加剤により構成されている。またコレクター式筆記具ではインクタンク７の後方部にインク８を直液状態で保蔵しており、コレクター５の後端周辺によって細い溝形状等によって強い毛細管力を発揮する気液交換部９がインク８で濡れることによってシールされる構造となっており、気液交換部９以外の部分では通常は空気の流通やインク８のモレ出しが起こらないように構成されている。
【００２４】
直液のコレクター式筆記具を０゜Ｃ以下の低温下の雰囲気にさらすと、インク８の組成によって０゜Ｃ前後から−２０゜Ｃ程度までの温度でインク８が凍結し始める事が多い。このような凍結が起こる場合には、インクの成分中の固化しやすい成分（水性インクの場合は水）が凍結して体積膨張し、凝固点が低い成分、例えばプロピレングリコールなどの溶剤は液体の状態で濃縮されるとともに押し出され、ペン先２の先端１から液体が出てしまう現象が発生する。
【００２５】
筆記時のインク消費によりインクタンク７内のインク残量が、コレクター５に最大保留できる量よりもやや多い時に、インクタンク７の内部の気体内圧変化が大きい。この時、大気の加減圧によって内圧の外気圧との圧力差や温度変化による内圧変化があると、筆記のためのインク８の流路が確保されているペン先２の先端部１からインク８が漏れだしたり、先端１から空気が入ってカスレが生じる場合がある。
【００２６】
コレクター式筆記具では、ペン先先端１からコレクター５の気液交換部９までの高さ（ヘッドＨ）はある一定高さ以上にはできない知見が得られている。気液交換部９及び保留溝１４（第３図）の幅の毛細管力を強く（サイズを小さく）した場合は、メニスカスが強く作用してインクタンク７内部の内圧が下がることからヘッドＨをある程度高くすることができるが、内圧が下がりすぎると筆記のためのインク８の供給ができなくなってカスレなどの不具合が発生してしまう。一般的には気液交換部９は０．０５ｍｍから０．２ｍｍ程度の溝や孔又はコレクター５がスポンジ等の場合はスポンジ等の気孔サイズとし、保留溝１４はインクタンク７側の幅を狭く０．１から０．４ｍｍに設定しペン先側をやや幅広に０．２から１．５ｍｍ程度に設定されている。
【００２７】
外気温が高くなる、外気が減圧されるなどインクタンク７内の内圧が相対的に上昇した場合はインクタンク７内部のインク８が気液交換部９を経由してコレクター５の円周状の羽１３のスキマである保留溝１４に流れ込んで保留され、内圧のバランスが取れる構造となっている。複数の保留溝１４は気液交換部９に接続されたインク溝１１によってインク流通できるようにそれぞれが接続されている。
【００２８】
外気温が低くなる、外気が加圧される、筆記によりインク８が減少するなど、インクタンク内の内圧が相対的に低くなった場合は、コレクター５の保留溝１４に保留されていたインク８がインクタンク７内部に戻る、もしくは保留溝１４にインク８がない場合には外気がインクタンク７の中へ導入されて内圧のバランスをとるメカニズムとなっている。このメカニズムによって、直液状態のインク８を保蔵してスムーズに筆記できるとともに、通常の使用時にはインク８が筆記具の外部に漏れだしてしまう事故を防止しているものである。しかし通常のコレクター筆記具では、これらの作用はゆっくりとした加減圧の変化に対して対応しており、航空機での使用のような急な加減圧変化を受けた場合は、ペン先２の先端からインク８が漏れ出てしまったり、空気がペン先２の内部に入ってカスレが生じる。
【００２９】
たとえ圧力変化がゆっくりであっても、インクが凍ってしまう０゜Ｃ以下の低温状態で保管された場合には、インクタンク７内部のインク８及びコレクター５周辺のインク８が凍結するが、まずインク８の成分の内の水などの凍結しやすい成分が凍結し、体積膨張してしまう。特にインクタンク７とコレクター５後端周辺はメニスカスを形成するために微少なサイズである気液交換部９を除いてはシールされており、外気と接触する遮断部である気液交換部９では最初にインク８が凍結してしまうと考えられ、筆記具内部は凍結が進むに従って圧力が上昇してしまう。通常のコレクター５は気液交換部９を経由してインク８が移動することで内圧を調節しているが、インク８が移動できなくなった状態でかつシールされているため、未凍結のインク成分は温度分布上凍結が遅れる筆記具の中心部に存在している誘導部であるコレクター芯６、中芯３を経由してペン先２の先端１から押し出されてしまう現象が発生する。
【００３０】
本発明の実施例としては、コレクター５には従来より知られている内圧調整機能を有した保留溝１４を設け、インク溝１１が接続されている保留溝１４の内、ペン先側前方より２から５番目程度の位置に、コレクター５の外側面からコレクター芯６や、中芯３へ向かって連通可能な貫通孔１０を設け、インク８や空気がコレクター５内部と外部とを連通できるようにしたものである。これにより短期的な凍結時のインク８で汚れる問題を解決可能となった。本実施例では、内孔１８の大径部１５に向かって貫通孔１０が設けられている。
【００３１】
先願ですでに提案されていたように、コレクター５に貫通孔１０を設けることは、凍結による圧力を、ペン先２側よりも距離的に近くサイズも大きい為にインク８が移動しやすい貫通孔１０を経由してインク８の未凍結成分をコレクター５の保留溝１４に逃がして、ペン先２側からは圧力を解放する対策が有効ではあった。しかし、単純な形状の貫通孔１０では、長期的に筆記具を保管した状態において、貫通孔１０の部分からインク８が自然に流れ出てしまい、筆記具の通気口４からインクが漏れだしてしまう不具合が発生してしまうことが判明した。
【００３２】
貫通させることだけを意識して設けられた、ごく一般的な角部を有した穴や金型の抜き方向に縦スジがついてしまった状態では問題が生じやすい。特に、金型の縦スジの問題は量産を続けていくと自然に発生してしまうものであるため、設計時から何らかの対策を施すことが望まれる。
【００３３】
この対策として本発明の第１の実施例では、コレクター５の内部にはインク誘導部を内包する内孔１８の後端側に小径部１６を、小径部１６よりも前方には大径部１５を設ける。貫通孔１０の周辺内部ではインク誘導部である中芯等３，６とコレクター５のコレクター内壁１７である大径部１５との間でスキマｔを構成した上で、当該貫通孔１０を気液交換部９及び中芯等の誘導部３，６のいずれよりも毛細管力を小さくした。さらに実施例の一例としては第３図に示すように貫通孔１０の角部にＲを設けたり、第５図に示すように貫通孔１０の内径側のサイズｂよりも外径側のサイズａの方が徐々に大きくなるようにテーパー状の貫通孔１０とした。
【００３４】
貫通孔１０は圧力を一時的に逃す作用を有しており、ペン先２に外気圧の変動や凍結時の体積膨張による圧力増加なども影響が受けにくい構造となっている。貫通孔付近において、コレクター５の内壁１７とインク誘導部であるコレクター芯６などが接触していると、接触部は極狭いスキマ（強い毛細管力）となりコレクター芯６等からインク８を引き出してしまい、貫通孔１０が設けられた保留溝１４から前方にインク８が流れてしまう拡張濡れの現象が見られる。
【００３５】
本発明の実施例では、円周方向の幅Ｌ１が０．１から０．３ｍｍ，内孔１８方向の長さＬ２が０．５ｍｍのサイズである気液交換部９（第１、第６図参照）よりも大きいサイズの貫通孔１０（具体的には、軸方向の幅Ｍ（第３図参照）が０．３から１．８ｍｍ）の穴サイズとした上に、毛細管力が内部の誘導芯等よりも弱くなる様に角部等を設けない形状とした事で貫通孔１０からインク８を引き出してしまう現象は防止することができる知見が実験により得られた。同様に内孔１８に大径部１５を設け、コレクター芯６との間にスキマｔ（望ましくは０．０５ｍｍから０．４ｍｍ、かつ貫通孔１０よりも毛細管力が強くなるスキマ）を設けると、インク８がコレクター外側面１９側へ流れにくい構成とする事ができ、仮にインク８がコレクター５の保留溝１４に出された場合でも拡張濡れが広がらない事やインク８を内部にスムーズに戻す事ができる作用を有している。尚、一般的に気液交換部９や貫通孔１０の毛細管力は、それらの最小幅により変化する。一般的に最小幅が大きい程毛細管力は大きくなる。
【００３６】
貫通孔１０の表面に角部やキズ等により毛細管力を発生させてしまう形状であると不具合が発生してしまう事から、貫通孔１０に鋭角部や溝や突起を設けないことに加えて、テーパー状にする事などで積極的に外部側の方が内部側よりも毛細管力が弱くなるように構成したり、表面の面粗度を小さくする事で濡れ性を変化させたり、シリコーンオイルやフッ素系樹脂の濡れにくい表面処理を行ったり、プラズマ処理や化学処理などの濡れ性向上処理を貫通孔１０部分は行わなかったり、濡れ性向上処理を行った後にパンチやドリルなどで表面改質していない表面を露出させて貫通孔１０としたり、又はコーティングや別部材にすることで濡れにくくする等の構成もさらに有効となる。
【００３７】
この実施例１の形状のものでは航空機内での使用のように、従来のもので見られた急な外気減圧下でペン先２内部に急に圧力がかかった場合のペン先２からのインク８の漏れを防止し、また急に外気が加圧された場合のペン先２内への空気の流れ込みによるカスレなどの不具合が発生しにくい作用を有する。又、貫通孔１０から押し出され保留溝１４に保蔵されたインク８が、毛細管力の強さの関係から筆記等によりスムーズに貫通孔１０を経由してコレクター芯６側に戻されて筆記に使用される作用も有している。
【００３８】
また、貫通孔１０を最も前方（ペン先側）の羽状部１３よりも後方（インクタンク側）に設けたので、凍結時や減圧時のインク８が貫通孔１０周辺に出た場合でも、そこから筆記具の通気口４までの距離及び空間を十分に確保することができる為、インク８の漏れ出しを防止できる、さらに安全な筆記具とすることができる。保留溝１４部分にはインク８を十分に出入りさせるためには空気溝１２を設けているが、本実施例では空気溝１２は蛇行して設けられており（第３図、第４図参照）、この空気溝１２が蛇行されている部分に貫通孔１０を設けた場合にはさらに漏れ出しの危険性が減少する。
【００３９】
実施例の第２例としては、第７図に示すように貫通孔１０をテーパー状にしたものでも同様の有効な作用を有するものである。さらには、コレクター５を中綿又はスポンジで構成したもの（図示せず）では、通気口４周辺にはインク８が流れないように撥水処理などを施す必要はあるものの、本発明の貫通孔１０などを同様に構成し、同様の作用を得ることができる。
【００４０】
本発明のコレクター筆記具は上述のように構成されるものであるが、本発明は上記実施形態に限定されるものではなく、本発明の要旨を変更しないものであれば、種々の部材等の適用を採用することができる。本発明の要旨と関係しない構成としては、例えばインクタンク軸筒の形状がカートリッジであったり、先軸と一体のリフィールであったり、部分的な使い捨て方式であったり、透明、不透明、光沢粒子を含む各種着色であったり、中芯等の誘導部として中芯とコレクター芯の構成が一体、或は更にペン先の構成が一体であったり、さらにペン先部材やバルブ部品が追加されていたり、特にキャップの構造は各種選定できるものである。
【００４１】
本発明の筆記具の構成及び作用は以上の如くであり、細身で外観が良く、コストパフォーマンスの優れた筆記具とする事ができる。航空機による加減圧下や、凍結を含む温度変化、キャップによる加減圧などによる不具合が発生しにくくなり、安全かつ安定した筆記性を確保できるようになる。特に極寒地での販売でも問題ないばかりか、航空機を乗り継いで筆記をするビジネスマンが使用するような航空機の減圧環境を繰り返し受ける環境でも事故のない筆記具とすることができる効果を有している。
【００４２】
従来のコレクター筆記具と比較して特別な金型構造や組立方法の変更をすることなく上述のような有効な作用を有する効果があるため、部品コストが同じで、製造が容易で、安価で外観の良い、長期保存性に優れたコレクター筆記具を提供できる効果がある。
【産業上の利用可能性】
【００４３】
本発明に係るコレクター式筆記具は、通常環境での使用に加えて、インクが凍結してしまうような低温環境や、航空機内等のインクに加わる大気圧が急激に変化する環境でも使用するコレクター式筆記具に適している。
【図１】
0004666872.tif 000002
【図２】
0004666872.tif 000003
【図３】
0004666872.tif 000004
【図４】
0004666872.tif 000005
【図５】
0004666872.tif 000006
【図６】
0004666872.tif 000007
【図７】
0004666872.tif 000008